(57)【要約】【課題】遊技球の飛翔態様を異ならせ、遊技者の興趣を向上させる回転子を備える遊技機を提供することを目的とする。【解決手段】遊技球が流下する遊技領域に立設される回転軸と、回転軸から放射状に形成される複数の放射状壁と、を有する回転子を備え、遊技領域を流下する遊技球が放射状壁の先端に当接し、回転子が回転することによって、当該遊技球の流下方向を変化させる遊技機において、複数の放射状壁は、複数の放射状壁の先端と回転軸との距離がそれぞれ異なるように形成されることを特徴とする遊技機。【選択図】図３
2010046375.tif 000002
【特許請求の範囲】
【請求項１】
遊技球が流下する遊技領域に立設される回転軸と、前記回転軸から放射状に形成される複数の放射状壁と、を有する回転子を備え、
前記遊技領域を流下する遊技球が前記放射状壁の先端に当接し、前記回転子が回転することによって、当該遊技球の流下方向を変化させる遊技機において、
前記複数の放射状壁は、前記複数の放射状壁の先端と前記回転軸との距離がそれぞれ異なるように形成されることを特徴とする遊技機。
【請求項２】
前記複数の放射状壁は、隣り合う放射状壁のなす角度が等しくなるように形成され、
前記回転子は、前記複数の放射状壁のいずれかの先端が上向きとなってバランスするように、前記複数の放射状壁の重さを調節するバランス部を有することを特徴とする請求項１に記載の遊技機。
【請求項３】
前記回転子は、前記回転軸を中心とする円形状であって、前記遊技領域の遊技盤に対面するフランジ部を有し、
前記バランス部は、前記フランジ部に埋設されることを特徴とする請求項２に記載の遊技機。
【請求項４】
前記複数の放射状壁は第１放射状壁及び第２放射状壁を含み、
前記第１放射状壁は、前記第１放射状壁の先端と前記回転軸との距離が前記第２放射状壁の先端と前記回転軸との距離よりも長くなるように形成され、
前記第１放射状壁の先端に当接した遊技球は第１流路に流入し、前記第２放射状壁の先端に当接した遊技球は第２流路に流入することを特徴とする請求項２に記載の遊技機。
【請求項５】
前記遊技領域には、遊技球を前記回転子に導く回転子案内流路が配設され、
前記第２流路は、前記第１流路の下方に配設され、
前記回転子は、前記第１流路の入口及び前記第２流路の入り口と、前記回転子案内流路との間に配設されることを特徴とする請求項４に記載の遊技機。
【請求項６】
複数種類の識別情報を変動表示する変動表示ゲームを表示する変動表示装置と、
前記第１流路及び前記第２流路の下方に配設されて、前記遊技領域を流下する遊技球が入賞することによって、前記変動表示ゲームが実行される始動入賞口と、を備え、
前記第１流路は、流入した遊技球が前記始動入賞口に入賞する可能性が、前記第２流路に流入した遊技球が前記始動入賞口に入賞する可能性よりも高くなるように形成されることを特徴とする請求項４に記載の遊技機。
【請求項７】
前記第２流路は前記第１流路の下方に配設され、
前記第１流路の入口の底面の延長線が、前記第１放射状壁の先端が上向きになった場合の前記第１放射状壁の先端よりも低い位置であって、かつ前記第２放射状壁の先端が上向きになった場合の前記第２放射状壁の先端よりも高い位置になるようにすることを特徴とする請求項６に記載の遊技機。
【請求項８】
前記遊技領域には、遊技球を前記回転子に導く回転子案内流路が配設され、
前記第２流路は前記第１流路の下方に配設され、
前記第１流路の入口の底面と、前記回転子案内流路の遊技球を前記回転子に導く側の端部との接続線が、前記第１放射状壁の先端が上向きになった場合の前記第１放射状壁の先端よりも低い位置であって、かつ前記第２放射状壁の先端が上向きになった場合の前記第２放射状壁の先端よりも高い位置になるようにすることを特徴とする請求項６に記載の遊技機。
【請求項９】
前記遊技領域の遊技盤に配設され、前面が開口する包囲枠体と、
前記包囲枠体の内部に配設され、前記始動入賞口の上方に位置し、遊技球が左右方向に転動可能な球転動面と、を備え、
前記第１流路は、前記球転動面に遊技球を案内することを特徴とする請求項６に記載の遊技機。
【発明の詳細な説明】
【技術分野】
【０００１】
本発明は、遊技領域に配置され、遊技領域を流下する遊技球の流下方向を変化させる回転子を備える遊技機に関する。
【背景技術】
【０００２】
従来、発射装置から発射されて、遊技領域を流下する遊技球が衝突して流下方向を変化させる回転子（いわゆる風車）が遊技領域に設けられる遊技機が知られている（例えば、特許文献１）。
【０００３】
特許文献１に記載の遊技機は、遊技店の従業員が遊技領域に対する回転子の取付角度を容易に調節できる角度調節機構を備える。
【特許文献１】特開平８−８９６２４号公報
【発明の開示】
【発明が解決しようとする課題】
【０００４】
従来の遊技機に備わる回転子の回転軸から放射状に形成される複数の放射状壁はすべて同じ長さである。このため、遊技領域を流下する遊技球がいずれの放射状壁に当接しても、遊技球の飛翔態様が同じであり、不規則性に乏しいものであった。このため、遊技者は、遊技球が回転子に当接しても遊技球の飛翔態様を予想することができるので、回転子は遊技者の興趣を向上させるものではなかった。
【０００５】
そこで、本発明は、遊技球の飛翔態様を異ならせ、遊技者の興趣を向上させる回転子を備える遊技機を提供することを目的とする。
【課題を解決するための手段】
【０００６】
第１の発明は、遊技球が流下する遊技領域に立設される回転軸と、前記回転軸から放射状に形成される複数の放射状壁と、を有する回転子を備え、前記遊技領域を流下する遊技球が前記放射状壁の先端に当接し、前記回転子が回転することによって、当該遊技球の流下方向を変化させる遊技機において、前記複数の放射状壁は、前記複数の放射状壁の先端と前記回転軸との距離がそれぞれ異なるように形成されることを特徴とする。
【０００７】
第２の発明は、前記複数の放射状壁は、隣り合う放射状壁のなす角度が等しくなるように形成され、前記回転子は、前記複数の放射状壁のいずれかの先端が上向きとなってバランスするように、前記複数の放射状壁の重さを調節するバランス部を有することを特徴とする。
【０００８】
第３の発明は、前記回転子は、前記回転軸を中心とする円形状であって、前記遊技領域の遊技盤に対面するフランジ部を有し、前記バランス部は、前記フランジ部に埋設されることを特徴とする。
【０００９】
第４の発明は、前記複数の放射状壁は第１放射状壁及び第２放射状壁を含み、前記第１放射状壁は、前記第１放射状壁の先端と前記回転軸との距離が前記第２放射状壁の先端と前記回転軸との距離よりも長くなるように形成され、前記第１放射状壁の先端に当接した遊技球は第１流路に流入し、前記第２放射状壁の先端に当接した遊技球は第２流路に流入することを特徴とする。
【００１０】
第５の発明は、前記遊技領域には、遊技球を前記回転子に導く回転子案内流路が配設され、前記第２流路は、前記第１流路の下方に配設され、前記回転子は、前記第１流路の入口及び前記第２流路の入り口と、前記回転子案内流路との間に配設されることを特徴とする。
【００１１】
第６の発明は、複数種類の識別情報を変動表示する変動表示ゲームを表示する変動表示装置と、前記第１流路及び前記第２流路の下方に配設されて、前記遊技領域を流下する遊技球が入賞することによって、前記変動表示ゲームが実行される始動入賞口と、を備え、前記第１流路は、流入した遊技球が前記始動入賞口に入賞する可能性が、前記第２流路に流入した遊技球が前記始動入賞口に入賞する可能性よりも高くなるように形成されることを特徴とする。
【００１２】
第７の発明は、前記第２流路は前記第１流路の下方に配設され、前記第１流路の入口の底面の延長線が、前記第１放射状壁の先端が上向きになった場合の前記第１放射状壁の先端よりも低い位置であって、かつ前記第２放射状壁の先端が上向きになった場合の前記第２放射状壁の先端よりも高い位置になるようにすることを特徴とする。
【００１３】
第８の発明は、前記遊技領域には、遊技球を前記回転子に導く回転子案内流路が配設され、前記第２流路は前記第１流路の下方に配設され、前記第１流路の入口の底面と、前記回転子案内流路の遊技球を前記回転子に導く側の端部との接続線が、前記第１放射状壁の先端が上向きになった場合の前記第１放射状壁の先端よりも低い位置であって、かつ前記第２放射状壁の先端が上向きになった場合の前記第２放射状壁の先端よりも高い位置になるようにすることを特徴とする。
【００１４】
第９の発明は、前記遊技領域の遊技盤に配設され、前面が開口する包囲枠体と、前記包囲枠体の内部に配設され、前記始動入賞口の上方に位置し、遊技球が左右方向に転動可能な球転動面と、を備え、前記第１流路は、前記球転動面に遊技球を案内することを特徴とする。
【発明の効果】
【００１５】
第１の発明によれば、複数の放射状壁の先端の位置が回転軸の径方向においてそれぞれ異なるように形成されるので、回転子によって変化させられる遊技球の飛翔態様を放射状壁ごとに異ならせることができ、遊技球の飛翔態様が不規則になる。よって、遊技者は、遊技球の飛翔態様を予想できなくなり、遊技者の興趣を向上させることができる。
【００１６】
第２及び第３の発明によれば、複数の放射状壁は、隣り合う放射状壁のなす角度が等しくなるように形成されて、かつ複数の放射状壁の先端の位置が回転軸の径方向においてそれぞれ異なるように形成されるので、回転子の重心位置がずれるため、回転子は、いずれの放射状壁も上を向いていない状態で停止する。しかし、回転子は、前記複数の放射状壁のいずれかの先端が上向きとなってバランスするように、前記複数の放射状壁の重さを調節するバランス部を有するので、いずれかの放射状壁の先端が上向きとなった状態で回転子が停止する。これによって、上向きとなった放射状壁の先端と遊技球が確実に当接する。
【００１７】
第４の発明によれば、遊技球が当接する放射状壁によって流下する流路が異なるため、遊技者は、回転子による遊技球の飛翔態様を注視し、興趣を向上させることができる。
【００１８】
第５の発明によれば、回転子が、第１流路の入口及び第２流路の入口と回転子案内流路との間に配設されるので、回転子案内流路によって回転子に導かれた遊技球は、放射状壁の先端に当接して、回転子を挟んで回転子案内流路と反対側に飛翔する。遊技球が飛翔する側（回転子を挟んで回転四案内流路と反対側）に第１流路の入口及び第２流路の入口が配設されるので、回転子は、遊技球を第１流路又は第２流路に振り分けることができる。
【００１９】
第６の発明によれば、遊技球が当接する放射状壁によって振り分けられる流路が、始動入賞口に入賞する可能性が高い第１流路と始動入賞口に入賞する可能性が低い第２流路であるので、遊技者は、回転子による振り分けをより注視し、興趣を向上させることができる。
【００２０】
第７〜第９の発明によれば、第１放射状壁の先端に当接した遊技球が第１流路に流入する可能性を、第２放射状壁の先端に当接した遊技球が第１流路に流入する可能性よりも高くできる。
【発明を実施するための最良の形態】
【００２１】
以下、本発明の実施形態について、図１〜図６を参照して説明する。
【００２２】
なお、以下の実施の形態の説明において記す前後左右とは、遊技者から見た、つまり遊技機に向かって見た方向を指すものとする。
【００２３】
図１は、本発明の実施形態の遊技機（パチンコ機）の遊技盤１の正面図である。
【００２４】
図１に示すように、遊技盤１は、合板やプラスチック等からなる矩形状の遊技盤本体２の表面に、区画部材としてのガイドレール１０等を設けることで略円形状の遊技領域１１を区画形成している。
【００２５】
遊技機は、遊技者の操作に基づいて発射装置（図示省略）から遊技球を発射させ、遊技領域１１内に流下させることにより遊技を行うものである。遊技者は、遊技盤１を覆うカバーガラス（図示省略）を通じて遊技領域１１を視認することができる。
【００２６】
遊技領域１１には、開口窓部２１ａを有するセンターケース（包囲枠体）２１が配設される。センターケース２１の後方には、複数の識別情報を変動表示する変動表示装置（図示省略）が、その表示部がセンターケース２１の開口窓部２１ａに臨む状態で配設される。
【００２７】
遊技盤１にはセンターケース２１の外周に沿った形状の開口が形成され、センターケース２１は、その開口に遊技盤１の前方から嵌装される。
【００２８】
センターケース２１の内側には、凹室４０が形成され、その奥に開口窓部２１ａが形成される。センターケース２１の開口窓部２１ａは、開口窓部２１ａから臨む変動表示装置の表示部が遊技領域１１のほぼ中央に配置されるように形成されている。
【００２９】
変動表示装置は、表示部に複数の変動表示領域（例えば、左側、中央、右側の３つの可変表示領域等）を設定して各表示領域の各々で独立して画像表示がなされる表示装置である。本実施の形態では、例えば、任意の画像を表示可能な液晶表示器等で表示画面部分が構成され、この表示画面上の各変動表示領域には複数の識別情報（特別図柄）や変動表示ゲームを演出するキャラクタ等、遊技の進行に基づく画像が表示される。
【００３０】
センターケース２１の外周には、遊技領域１１内を流下する遊技球を案内するガイド４１が形成される。センターケース２１の頂部には、上に凸の緩やかな曲線の上部ガイド４１ａが形成され、その左右には、センターケース２１の内側に凸の左側逆円弧状ガイド４１ｂと右側逆円弧状ガイド４１ｃとが形成される。それらの下には縦に長い左側部ガイド４１ｄと右側部ガイド４１ｅとが形成される。
【００３１】
左側部ガイド４１ｄの左側には、右下がりの直線上に並べられた複数の案内釘によって形成される回転子案内流路６０が設けられる。回転子案内流路６０の下端側には、遊技領域１１に対して回転可能であって、流下する遊技球の流下方向を変化させる回転子（いわゆる風車）７０が配設される。回転子案内流路６０は、遊技領域１１を流下する遊技球を回転子７０に導く流路である。なお、回転子７０については、図３で詳細に説明する。
【００３２】
遊技領域１１におけるセンターケース２１の下方でかつ遊技領域１１の略中央には、普通変動入賞装置（普通電動役物）２３を有するチューリップタイプの始動入賞口２４が配設される。この始動入賞口２４の下方には、変動表示装置の作動結果によって遊技球を受け入れない状態と受け入れ易い状態とに変換可能な特別変動入賞装置（大入賞口）２５が配設される。また、遊技領域１１におけるセンターケース２１の右下方には、普図変動表示ゲームの普通図柄始動ゲート２６が配設される。
【００３３】
遊技領域１１の下方であり、かつ特別変動入賞装置２５の左右の側方には、特図変動表示ゲームの特別図柄の変動表示、特別図柄入賞記憶数（始動記憶数）、普図変動表示ゲームの普通図柄の変動表示、及び普通図柄入賞記憶数等を表示する状態表示器３２が配設される。
【００３４】
遊技領域１１における始動入賞口２４の左右両側方には、遊技球が入賞した場合に賞球を払い出す条件だけが成立する複数の一般入賞口２７が配設される。
【００３５】
遊技領域１１には、この他に、遊技球の流下方向を変化させる釘（図示省略）等の方向変換部材、入賞せずに流下した遊技球を回収するアウト口３０、及び発光により各種の装飾表示を行うランプ・ＬＥＤ（図示省略）が配設される。
【００３６】
発射装置によって打ち出された遊技球は、ガイドレール１０の左側部側に区画され遊技球を案内する発射球案内通路３１から遊技領域１１に発射され、遊技領域１１内の各所に配置された方向変換部材によって落下方向を変えながら遊技領域１１を流下し、始動入賞口２４、一般入賞口２７、又は特別変動入賞装置２５に入賞するか、遊技領域１１の最下部に設けられたアウト口３０から排出される。
【００３７】
一般入賞口２７又は特別変動入賞装置２５に遊技球が入賞すると、入賞した入賞口の種類に応じた数の賞球が払出装置（図示省略）から排出される。
【００３８】
具体的には、始動入賞口２４に遊技球が入賞すると、変動表示装置では、前述した数字等で構成される識別情報が順に変動表示する変動表示ゲームが開始され、変動表示ゲームに関する画像が表示される。
【００３９】
始動入賞口２４への遊技球の入賞が所定のタイミングでなされたときには大当たり状態となり、三つの表示図柄が揃った状態（大当たり図柄）で停止する。このとき、特別変動入賞装置２５は、大入賞口ソレノイド（図示省略）への通電によって、大入賞口が所定の時間だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者には、多くの賞球を獲得することができるという遊技価値が付与される。
【００４０】
また、普通図柄始動ゲート２６を遊技球が通過すると、状態表示器３２で普図変動表示ゲームが開始される。普通図柄始動ゲート２６への遊技球の通過が所定のタイミングでなされたときには普通図柄に関する当たり状態となり、状態表示器３２に表示される普通図柄が当たり状態で停止する。このとき、始動入賞口２４に設けられた普通変動入賞装置２３は、普通電動役物ソレノイド（図示省略）への通電によって、始動入賞口２４への入口が所定の時間だけ拡開するように変換され、始動入賞口２４への遊技球の入賞可能性が高められる。
【００４１】
センターケース２１の内側底部、つまり凹室４０の底部には、遊技球が転動可能であって、転動する遊技球を始動入賞口２４が配設される遊技領域１１へ流下させるためのステージ（球転動面）５０が配設される。
【００４２】
センターケース２１の左側部には、遊技領域１１を流下する遊技球をセンターケース２１の凹室４０内に導くためのワープ通路（第１流路）５４が配設される。なお、ワープ通路５４については、図２で詳細に説明する。
【００４３】
ワープ通路５４から排出された遊技球は、センターケース２１の内周を転動してステージ５０へと供給される。ステージ５０へ供給された遊技球は、始動入賞口２４の真上に配設される凹部５０ａ〜５０ｃのいずれか一つから遊技領域１１へ再び落下する。
【００４４】
以上のように、ワープ通路５４を通じてセンターケース２１内に導かれた遊技球は、ステージ５０へと供給され、その一部の遊技球は凹部５０ａを通り、始動入賞口２４へ向かって落下する。
【００４５】
また、ワープ通路５４の下方には流路（第２流路）８０が配設される。流路８０は、第１釘群８１、第２釘群８２、及び第３釘群８３から構成される。なお、第１釘群８１が流路８０への入口となる。
【００４６】
各釘群８１〜８３を構成する釘と釘とは、遊技球の直径よりも短い間隔で配設される。よって、各釘群８１〜８３を流下する遊技球は、各釘群８１〜８３を構成する釘と釘との間から落下することはない。
【００４７】
また、第２釘群８２の最も左側に位置する釘と第１釘群８１の最も右側に位置する釘とは、遊技球の直径よりも長い間隔で配設される。第３釘群８３の最も左側に位置する釘と第２釘群８２の最も右側に位置する釘とは、遊技球の直径よりも長い間隔で配設される。
【００４８】
よって、流路８０を流下する遊技球は、遊技球が流下する勢いが強ければ、第１釘群８１と第２釘群８２との間、及び第２釘群８２と第３釘群８３との間から落下せず、遊技球が流下する勢いが弱ければ、第１釘群８１と第２釘群８２との間、及び第２釘群８２と第３釘群８３との間から落下する。
【００４９】
ここで、遊技球が第１釘群８１と第２釘群８２との間、及び第２釘群８２と第３釘群８３との間から落下した場合に遊技球が始動入賞口２４に入賞する可能性は、遊技球が流路８０を流下して第３釘群８３の右側の端部から落下した場合に遊技球が始動入賞口２４に入賞する可能性よりも低い。第３釘群８３の右側の端部は、第１釘群８１と第２釘群８２との間、及び第２釘群８２と第３釘群８３との間よりも始動入賞口２４に近い位置に配設されているからである。
【００５０】
流路８０の終端（第３釘群８３の始動入賞口側の端部）は、ワープ通路の凹部５０ａ〜５０ｃよりも始動入賞口から離れた位置に配設され、流路８０に流入した遊技球は、第１釘群８１と第２釘群８２との間、又は第２釘群８２と第３釘群８３との間から落下してしまう可能性もある。
【００５１】
したがって、流路８０を流下する遊技球が始動入賞口２４に入賞する可能性は、ワープ通路５４からステージ５０に排出された遊技球が始動入賞口２４に入賞する可能性よりも低い。つまり、遊技球がワープ通路５４に流入した方が、遊技球が流路８０に流入するよりも遊技者に有利なルートとなる。
【００５２】
発射球案内通路３１から遊技領域１１内に発射された遊技球は、ガイドレール１０とガイド４１との間の領域を流下する。ここで、図１に示すように、左側部ガイド４１ｄとガイドレール１０との間隔は大きいのに対して、右側部ガイド４１ｅとガイドレール１０とは遊技球一つが通過できる程度の間隔しかない。したがって、本実施の形態では、主としてセンターケース２１左側の遊技領域１１に遊技球を流下させることによって遊技が行われる。発射装置から発射された遊技球のうち勢いのある遊技球は、上部ガイド４１ａとガイドレール１０との間を通過し、右側部ガイド４１ｅとガイドレール１０との間を流下し、案内壁４２によって、遊技領域１１の中央側に案内される。案内壁４２によって遊技領域１１に案内された遊技球は、普通図柄始動ゲート２６、普通図柄始動ゲート２６の下方に配設される一般入賞口２７、若しくは特別変動入賞装置２５に入賞するか、又はアウト口３０へと流入する。
【００５３】
また、センターケース２１左側の遊技領域１１に流下した遊技球のうち、回転子案内流路６０を構成する釘に当接した遊技球は、回転子案内流路６０によって回転子７０に導かれる。
【００５４】
回転子７０に導かれた遊技球は、回転子７０によって飛翔態様が変化させられて、ワープ通路５４、流路８０、又は回転子７０の左側の遊技領域１１に振り分けられる。回転子７０がワープ通路５４又は流路８０に遊技球を振り分ける構造については、図５及び図６で詳細に説明する。
【００５５】
図２は、本発明の実施形態の遊技機の遊技盤１の正面斜視図である。図２では、ワープ通路５４及びステージ５０について、詳細に説明する。
【００５６】
まず、ワープ通路５４について説明する。
【００５７】
ワープ通路５４は、遊技領域１１に向けて開口し遊技領域１１を流下する遊技球を受け入れる流入口５５と、流入口５５から流入した遊技球が転動する転動面を有するワープ流路５６と、凹室４０内に向けて開口しワープ流路５６を通過した遊技球を凹室４０に対して排出する排出口５７とを備えるトンネル状の通路である。ワープ通路５４は、センターケース２１とは別体に構成され、締結部材によってセンターケース２１に取り付けられる。ワープ通路５４は、透明な合成樹脂にて形成される。
【００５８】
流入口５５は、遊技領域１１におけるセンターケース２１の左側方を流下する遊技球を受け入れるため、左斜め上方へ向けて開口している。
【００５９】
排出口５７は、センターケース２１の凹室４０に向けて遊技球を案内するように形成される。
【００６０】
次に、ステージ５０について説明する。
【００６１】
ステージ５０は、左右方向の中央に向かって窪んだ円弧形状で形成される。ステージ５０には五つの凹部５０ａ〜５０ｃが形成される。具体的には、ステージ５０の中央には凹部５０ａが形成され、凹部５０ａの左右両側には凹部５０ｂが形成される。また、凹部５０ａの左側に形成された凹部５０ｂの左側には、凹部５０ｃが形成され、凹部５０ａの右側に形成された凹部５０ｂの右側には、凹部５０ｃが形成される。凹部５０ａ〜５０ｃの形状は、それぞれステージ５０から左右方向に窪み、かつ前側に傾斜する形状である。
【００６２】
凹部５０ａは始動入賞口２４の真上に形成されるため、凹部５０ａから遊技領域１１に流下した遊技球が始動入賞口２４に入賞する可能性が最も高い。次いで、凹部５０ｂが始動入賞口２４の近くに配設されているので、凹部５０ｂから遊技領域１１に流下した遊技球が始動入賞口２４に入賞する可能性は、凹部５０ａから遊技領域１１に流下した遊技球が始動入賞口２４に入賞する可能性の次に高い。凹部５０ｃは、始動入賞口２４から最も離間した位置に配設されるので、凹部５０ｃから遊技領域１１に流下した遊技球が始動入賞口２４に入賞する可能性は最も低い。
【００６３】
遊技球が凹部５０ａ〜５０ｃから遊技領域１１に流下するか否かは、凹部５０ａ〜５０ｃを通過する際の遊技球の勢いによる。凹部５０ａ〜５０ｃを通過する際の遊技球の勢いが弱い場合には、凹部５０ａ〜５０ｃの窪みを上ることができず、凹部５０ａ〜５０ｃの前側傾斜に沿って遊技領域１１に流下する。一方、凹部５０ａ〜５０ｃを通過する際の遊技球の勢いが強い場合には、凹部５０ａ〜５０ｃの窪みを上り、次の凹部５０ａ〜５０ｃを通過する。
【００６４】
ワープ通路５４から排出された遊技球の勢いが強いと、ステージ５０の左側に形成される凹部５０ｃの窪みを上り、凹部５０ｃの左側に形成されるステージ５０の左右方向の中央に向かう傾斜面を上る場合がある。この場合、ステージ５０の左側の端部から遊技球が落下して、案内壁４２に当接し、遊技領域１１の中央側に案内される。案内壁４２によって遊技領域１１に案内された遊技球は、普通図柄始動ゲート２６、普通図柄始動ゲート２６の下方に配設される一般入賞口２７、若しくは特別変動入賞装置２５に入賞するか、又はアウト口３０へと流入する。
【００６５】
ここで、回転子７０は、ワープ通路５４の流入口５５及び流路８０の入口である第１釘群８１と、回転子案内流路６０との間に配置されている。これによって、回転子案内流路６０によって回転子７０に導かれた遊技球は、放射状壁７４１〜７４３（図３参照）の先端７４１Ｂ〜７４３Ｂに当接して、回転子７０を挟んで回転案内流路６０と反対側に位置するワープ通路５４又は流路８０側に飛翔する。このため、回転子７０は、回転子案内流路６０によって導かれた遊技球をワープ通路５４又は流路８０に振り分けることができる。
【００６６】
図３は、本発明の実施形態の回転子７０の背面斜視図である。
【００６７】
回転子７０は、遊技領域１１に対して回転可能に取り付けられる。回転子７０は、回転軸７１と、回転軸７１から放射状に形成される３つの放射状壁７２１〜７２３と、回転軸７１を中心とする円形状のフランジ部７３と、を備える。なお、フランジ部７３には、飾りのための飾り穴７３１が周方向に等間隔で形成されている。
【００６８】
回転子７０に導かれた遊技球は、上側を向いている放射状壁７２１〜７２３の先端７２１Ｂ〜７２３Ｂに当接することによって飛翔態様が変化し、ワープ通路５４又は流路８０に流入する。
【００６９】
回転軸７１の中心には、釘の胴部の直径よりも大きく、かつ釘の頭部の直径よりも小さい直径で穴７１１が形成される。回転軸７１の穴７１１の図３の奥側（フランジ７３側）から手前側に向かって釘が打ちこまれることによって、回転子７０は、回転可能に遊技領域１１に取り付けられる。回転子７０は、釘の頭部によって前後方向の位置決めがされる。また、回転軸７１の穴７１１を貫通する釘が回転子７０の回転軸受けとなる。
【００７０】
放射状壁７２１〜７２３は、回転軸７１の外周面に基端７２１Ａ〜７２３Ａ、及び基端７２１Ａ〜７２３Ａの反対側に先端７２１Ｂ〜７２３Ｂを有する。
【００７１】
放射状壁７２１〜７２３は、各先端７２１Ｂ〜７２３Ｂと回転軸７１との距離が異なるように形成されている。基端７２１Ａから先端７２１Ｂまでの距離が最も長く、基端７２２Ａから先端７２２Ｂまでの距離が次いで長く、基端７２３Ａから先端７２３Ｂまでの距離が最も短い。
【００７２】
本発明の実施形態の各放射状壁７２１〜７２３は、平面形状で形成されているので、各放射状壁７２１〜７２３の長さを異ならせることによって、各先端７２１Ｂ〜７２３Ｂと回転軸７１との距離を異ならせている。放射状壁７２１〜７２３は、各先端７２１Ｂ〜７２３Ｂと回転軸７１との距離を異なるように形成されていれば、平面形状で形成されていなくても、例えば、Ｌ字型形状又は曲面形状で形成されていてもよい。
【００７３】
また、隣り合う放射状壁７２１〜７２３のなす角度が等しくなるように形成される。具体的には、放射状壁７２１と放射状壁７２２とがなす角度は１２０度であり、放射状壁７２２と放射状壁７２３とがなす角度は１２０度であり、放射状壁７２３と放射状壁７２３とがなす角度は１２０度である。
【００７４】
放射状壁７２１〜７２３は、基端７２１Ａ〜７２３Ａから先端７２１Ｂ〜７２３Ｂまでの距離が異なるように形成されるので、各放射状壁７２１〜７２３の重さが異なる。このため、重心が回転軸７１上からずれてしまい、回転子７０は、常に同じ向きで停止してしまう。
【００７５】
具体的には、放射状壁７２１〜７２３は、放射状壁７２１、放射状壁７２２、及び放射状壁７２３の順に重い。このため、回転子７０の重心は、放射状壁７２１と放射状壁７２２との間の放射状壁７２１側に位置する。
【００７６】
このため、回転子７０は、放射状壁７２１及び放射状壁７２２を下向きにして、放射状壁７２１側に若干傾くため、いずれの放射状壁７２１〜７２３も鉛直上向きにならずに停止する。よって、回転子案内流路６０から回転子７０に案内された遊技球が、放射状壁７２１〜７２３の先端７２１Ｂ〜７２３Ｂに確実に当接することができないため、回転子７０は、遊技球をワープ通路５４又は流路８０に振り分けることができない。
【００７７】
したがって、本実施形態では、いずれかの放射状壁７２１〜７２３が鉛直上向きとなって回転子７０が停止できるように、重心を回転軸７１上に位置させるバランス部７４１及び７４２が、フランジ部７３の裏面に埋設される。
【００７８】
なお、バランス部７４１及び７４２は、フランジ部７３の裏面から突出して埋設されるが、このバランス部７４１及び７４２のフランジ部７３の裏面からの突出量は、回転子７０に流下する遊技球に作用しない程度にする。
【００７９】
バランス部７４１は、放射状壁７２３の延長線上のフランジ部７３に埋設され、放射状壁７２３の延長線上の重さを放射状壁７２１の重さと同じにする。よって、バランス部７４１の重さは、放射状壁７２１の重さから放射状壁７２３の重さを減じた重さである。また、バランス部７４２は、放射状壁７２２の延長線上のフランジ部７３に放射状壁７２２の延長線上の重さを放射状壁７２１の重さと同じにする。よって、バランス部７４２の重さは、放射状壁７２１の重さから放射状壁７２２の重さを減じた重さである。
【００８０】
これによって、放射状壁７２２にバランス部７４２を加えた重さ、及び放射状壁７２３にバランス部７４１を加えた重さが、放射状壁７２１の重さと同じになるため、回転子７０の重心は回転軸７１上に位置する。このため、回転子７０は、いずれかの放射状壁７２１〜７２３が鉛直上向きとなった状態で停止する。よって、回転子７０に流下する遊技球は、放射状壁７２１〜７２３の先端７２１Ｂ〜７２３Ｂに確実に当接できる。
【００８１】
また、バランス部７４１及び７４２は、放射状壁７２１〜７２３の密度よりも大きい密度の材質を用いるとよい。これによって、バランス部７４１及び７４２の体積を小さくできるため、回転子７０に流下した遊技球がバランス部７４１及び７４２に当接する可能性が少なくなる。
【００８２】
図４は、本発明の実施形態のバランス部７４１及び７４２の取付方法の説明図である。
【００８３】
フランジ部７３の裏面には、放射状壁７２１〜７２３を取り付けるための取付凹部７５１〜７５３が形成される。
【００８４】
取付凹部７５１〜７５３の長さは放射状壁７２１の長さと同じであり、取付凹部７５１〜７５３の幅は放射状壁７２１〜７２３の幅と同じである。放射状壁７２１〜７２３が取付凹部７５１〜７５３に嵌合されることによって、回転軸７１及び放射状壁７２１〜７２３はフランジ部７３に取り付けられる。
【００８５】
この場合、放射状壁７２２及び７２３の長さは放射状壁７２１の長さよりも短いので、放射状壁７２２が嵌合する取付凹部７５２及び放射状壁７２３が嵌合する取付凹部７５３には、何も嵌合しない部分（隙間）が存在する。取付凹部７５２の隙間にバランス部７４１が嵌合することによって、バランス部７４１がフランジ部７３の裏面に取り付けられる。また、取付凹部７５３の隙間にバランス部７４２が取り付けられることによって、バランス部７４２がフランジ部７３の裏面に取り付けられる。
【００８６】
なお、図４では放射状壁７２１〜７２３がフランジ部７３に取り付けられるために、放射状壁７２１に合わせた大きさの取付凹部７５１〜７５３が形成されるものとしたが、放射状壁７２１〜７２３はフランジ部７３に取り付けられていなくてもよい。この場合、取付凹部７５１〜７５３は不要であり、フランジ部７３にはバランス部７４１及び７４２を取り付けるための凹部が形成されていればよい。
【００８７】
次に、ワープ通路５４と回転子７０との位置関係を図５及び図６を用いて説明する。
【００８８】
図５は、本発明の実施形態の基端７２３Ａから先端７２３Ｂまでの距離が最も短い放射状壁７２３が鉛直上向きになって回転子７０が停止した場合のワープ通路５４と回転子７０との位置関係の説明図である。
【００８９】
ワープ通路５４の流入口５５の底面の延長線（図５に示す点線、なお、当該点線は仮想線である）が、放射状壁７２３が鉛直上向きになって回転子７０が停止した場合の放射状壁７２３の先端７２３Ｂの位置よりも高い位置に位置するように、ワープ通路５４及び回転子７０が遊技領域１１に配設される。
【００９０】
図６は、本発明の実施形態の基端７２１Ａから先端７２１Ｂまでの距離が最も長い放射状壁７２１が鉛直上向きになって回転子７０が停止した場合のワープ通路５４と回転子７０との位置関係の説明図である。
【００９１】
ワープ通路５４の流入口５５の底面の延長線（図６に示す点線、なお、当該点線は仮想線である）が、放射状壁７２１が鉛直上向きになって回転子７０が停止した場合の放射状壁７２１の先端７２１Ｂの位置よりも低い位置に位置するように、ワープ通路５４及び回転子７０が遊技領域１１に配設される。
【００９２】
以上より、ワープ通路５４の流入口５５の底面の延長線が、放射状壁７２３が鉛直上向きになって回転子７０が停止した場合の放射状壁７２３の先端７２３Ｂの位置よりも高い位置に位置し、かつワープ通路５４の流入口５５の底面の延長線が、放射状壁７２１が鉛直上向きになって回転子７０が停止した場合の放射状壁７２１の先端７２１Ｂの位置よりも低い位置に位置するように、ワープ通路５４及び回転子７０が遊技領域１１に配設される。
【００９３】
これによって、ワープ通路５４の流入口５５の底面の延長線が、鉛直上向きになった放射状壁７２１の先端７２１Ｂの位置より低い位置に位置するので、放射状壁７２１の先端７２１Ｂが鉛直上向きになって回転子７０が停止した場合に、遊技領域１１を流下する遊技球が放射状壁７２１に当接して飛翔した遊技球がワープ通路５４に流入する可能性が高くなる。また、ワープ通路５４の流入口５５の底面の延長線が、鉛直上向きになった放鉛直上向きになった放射状壁７２３の先端７２３Ｂの位置より高い位置に位置するので、放射状壁７２３の先端７２３Ｂが鉛直上向きになって回転子７０が停止した場合に、遊技領域１１を流下する遊技球が放射状壁７２３に当接して飛翔した遊技球がワープ通路５４に流入する可能性が低くなる。
【００９４】
なお、ワープ流路５６及び回転子７０は、放射状壁７２２の先端７２２Ｂがワープ通路５４の流入口５５の底面の延長線上に位置するように、遊技領域１１に配設されてもよい。これによって、放射状壁７２１の先端７２１Ｂに遊技球が当接した場合には、遊技球がワープ流路５６に流入する可能性は最も高くなり、放射状壁７２３の先端７２３Ｂに遊技球が当接した場合には、遊技球がワープ流路５６に流入する可能性は最も低くなり、放射状壁７２３の先端７２３Ｂに遊技球が当接した場合には、遊技球がワープ流路５６に流入する可能性と遊技球が流路８０に流入する可能性とを同程度にすることができる。
【００９５】
また、各放射状壁７２１〜７２３の先端７２１Ｂ〜７２３Ｂが、ワープ通路５４の流入口５５の底面の延長線に平行なテーパー面に形成されてもよい。このテーパー面は、いずれかの放射状壁７２１〜７２３が鉛直上向きになって回転子７０が停止した場合に、始動入賞口２４側に下り傾斜するように形成されている。
【００９６】
これによって、放射状壁７２１〜７２３の先端７２１Ｂ〜７２３Ｂに当接した遊技球は、回転子７０の左側に飛翔することを防止でき、確実にワープ通路５４又は流路８０に振り分けることができる。
【００９７】
次に、本発明の実施形態の変形例を図７及び図８を用いて説明する。
【００９８】
本実施形態では、ワープ通路５４と回転子７０との位置関係をワープ流路５６の底面の延長線によって特定したが、本実施形態の変形例では、ワープ流路５６と回転子７０との位置関係を回転子案内流路６０の下端とワープ流路５６の底面の上端との接続線によって特定する。
【００９９】
図７は、本発明の実施形態の変形例の基端７２３Ａから先端７２３Ｂまでの距離が最も短い放射状壁７２３が鉛直上向きになって回転子７０が停止した場合のワープ通路５４と回転子７０との位置関係の説明図である。
【０１００】
回転子案内流路６０を構成する釘のうち最も回転子７０側に位置する釘の底面と、ワープ通路５４の流入口５５の底面との接続線（図７に示す点線、なお、当該点線は仮想線である）が、放射状壁７２３が鉛直上向きになって回転子７０が停止した場合の放射状壁７２３の先端７２３Ｂの位置よりも高い位置に位置するように、ワープ通路５４及び回転子７０が遊技領域１１に配設される。
【０１０１】
図８は、本発明の実施形態の変形例の基端７２１Ａから先端７２１Ｂまでの距離が最も長い放射状壁７２１が鉛直上向きになって回転子７０が停止した場合のワープ通路５４と回転子７０との位置関係の説明図である。
【０１０２】
回転子案内流路６０を構成する釘のうち最も回転子７０側に位置する釘の底面と、ワープ通路５４の流入口５５の底面との接続線（図８に示す点線、なお、当該点線は仮想線である）が、放射状壁７２１が鉛直上向きになって回転子７０が停止した場合の放射状壁７２１の先端７２１Ｂの位置よりも低い位置に位置するように、ワープ通路５４及び回転子７０が遊技領域１１に配設される。
【０１０３】
以上より、回転子案内流路６０とワープ通路５４との接続線が、放射状壁７２３が鉛直上向きになって回転子７０が停止した場合の放射状壁７２３の先端７２３Ｂの位置よりも高い位置に位置し、かつ回転子案内流路６０とワープ通路５４との接続線が、放射状壁７２１が鉛直上向きになって回転子７０が停止した場合の放射状壁７２１の先端７２１Ｂの位置よりも低い位置に位置するように、ワープ通路５４及び回転子７０が遊技領域１１に配設される。
【０１０４】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【０１０５】
以上のように、本発明は、遊技球を遊技領域に発射させるパチンコ遊技機等に適用することができる。
【図面の簡単な説明】
【０１０６】
【図１】本発明の実施形態の遊技機（パチンコ機）の遊技盤の正面図である。
【図２】本発明の実施形態の遊技機の遊技盤の正面斜視図である。
【図３】本発明の実施形態の回転子の背面斜視図である。
【図４】本発明の実施形態のバランス部の取付方法の説明図である。
【図５】本発明の実施形態の基端から先端までの距離が最も短い放射状壁が鉛直上向きになって回転子が停止した場合のワープ通路と回転子との位置関係の説明図である。
【図６】本発明の実施形態の基端から先端までの距離が最も長い放射状壁が鉛直上向きになって回転子が停止した場合のワープ通路と回転子との位置関係の説明図である。
【図７】本発明の実施形態の変形例の基端から先端までの距離が最も短い放射状壁が鉛直上向きになって回転子が停止した場合のワープ通路と回転子との位置関係の説明図である。
【図８】本発明の実施形態の変形例の基端から先端までの距離が最も長い放射状壁が鉛直上向きになって回転子が停止した場合のワープ通路と回転子との位置関係の説明図である。
【符号の説明】
【０１０７】
１    遊技盤
２    遊技盤本体
１０    ガイドレール
１１    遊技領域
２１    センターケース
２３    普通変動入賞装置
２４    始動入賞口
２５    特別変動入賞装置（大入賞口）
２６    普通図柄始動ゲート
２７    一般入賞口
３０    アウト口
３１    発射球案内通路
３２    状態表示器
４０    凹室
４１    ガイド
４２    案内壁
５０    ステージ
５４    ワープ通路
５５    流入口
５６    ワープ流路
５７    排出口
６０    回転子案内流路
７０    回転子
７１    回転軸
７３    フランジ部
８０    流路
７１１    穴
７２１    放射状壁
７３１    飾り穴
７４１、７４２    バランス部
【図１】
2010046375.tif 000003
【図２】
2010046375.tif 000004
【図３】
2010046375.tif 000005
【図４】
2010046375.tif 000006
【図５】
2010046375.tif 000007
【図６】
2010046375.tif 000008
【図７】
2010046375.tif 000009
【図８】
2010046375.tif 000010